(57)【要約】【課題】何らかの理由により、乗りかごが昇降路内で突き上げられて停止し、乗りかご内に乗客が閉じこめられたとき、釣合おもりが重い場合であっても、短い時間で、乗員を救出させたり、制御盤の復旧作業を開始させる。【解決手段】乗りかご２が昇降路の上部で停止し、乗りかご２内に乗客が閉じこめらているとき、あるいは制御盤８の修復が必要になったとき、エレベータ機構４に設けられている釣合おもり６の一部を吊り上げて釣合おもり６全体の重量を低減させて、乗りかご２を最寄り階に移動させる。【選択図】      図１
2004262645.tif 000002
【特許請求の範囲】
【請求項１】
昇降路内に昇降自在に配置された乗りかごと、この乗りかごの重量に対応する重量の釣合おもりと連結しているロープを走行させて、前記乗りかごをつるべ式に昇降させるエレベータシステムにおいて、
前記釣合おもりを構成する複数のカウンターウエイトの一部を吊り上げて、前記乗りかごを下降させるカウンターウエイト引上げ機構、
を備えたことを特徴とするエレベータシステム。
【請求項２】
請求項１に記載のエレベータシステムにおいて、
前記釣合おもりは、前記昇降路に沿って昇降するカウンターケースと、
このカウンターケースの上部側に隙間を形成するように、前記カウンターケース内に昇降自在に差し込まれる複数のカウンターウエイトと、
を備えたことを特徴とするエレベータシステム。
【請求項３】
請求項１、２のいずれかに記載のエレベータシステムにおいて、
前記カウンターウエイト引上げ機構は、前記昇降路の所定部分に取り付けられるカウンターウエイト用滑車と、
前記カウンターウエイトに取り付けられるカウンターウエイトフックと、
前記昇降路内で、前記カウンターウエイト用滑車より下に固定されるチェーンブロックと、
前記カウンターウエイト用滑車を介して、前記チェーンブロックと前記カウンターウエイトフックとを連結するカウンターウエイト引き上げ用ロープと、
を備えたことを特徴とするエレベータシステム。
【発明の詳細な説明】
【０００１】
【発明の属する技術分野】
本発明は、つるべ式エレベータシステムに係わり、特に昇降路内に巻上機、制御盤などが配置された屋上機械室レス型のエレベータシステムに関する。
【０００２】
【従来の技術】
近年、乗りかごと、釣合おもりとをロープにて連結し、ロープへの駆動力を伝達する巻上機や、従来屋上機械室に設置されていた制御盤などを昇降路内に設置して、屋上機械室を省き、日照権問題の緩和、エレベータ機構などが設置される建屋のレイアウトフリー化、駆体強度低減を図ることを目的とした屋上機械室レス型のエレベータシステムが主流になっている。
【０００３】
さらに、このようなエレベータシステムでは、乗りかごの乗員数を拡大させたり、かご室に対するオプション仕様などの関係で、乗りかごの重量負荷が増大し、これに伴いつるべ式エレベータシステムの宿命で、釣合おもりが増大する傾向にある。
【０００４】
【特許文献１】
特開２０００−２５５９４１号公報
【０００５】
【特許文献２】
特開２００１−８０８３７号公報
【０００６】
【発明が解決しようとする課題】
ところで、巻上機や制御盤が乗りかご、この乗りかごに結合する釣合おもりが昇降路内に設置された屋上機械室レスつるべ式のエレベータシステムでは、何らかの理由により、例えば機械的な故障などにより、昇降路で乗りかごが突き上げられて停止して、乗りかご内の乗客が閉じこめられた場合、乗りかご内の乗客が乗りかご定員数の半分以上であれば、巻上機のブレーキを解放させるだけで、乗りかごを最寄り階に移動させることができるものの、乗員が半分に満たないとき、釣合おもり側を引き上げさせたり、釣合おもり内のカウンターウエイトを引き抜かせて、乗りかごと、釣合おもりとをアンバランス状態にさせる必要があった。
【０００７】
また、電気的な故障などによって、乗りかごが停止した場合には、乗りかごの上に点検員が乗った状態で、上述したときと同様な作業を行わせて、制御盤での作業ができる位置まで、乗りかごを移動させた後、制御盤を復旧させる。
【０００８】
しかしながら、このような作業は、乗りかごが小さく、この乗りかごと結合する釣合おもりの重量が小さいものであるときには、チェーンブロックなどにより釣合おもりを容易に引き上げさせることができるものの、近年のエレベータシステムなどのように、定員数の増大化、サービスの多様化などに伴い、乗りかごの重量が増大し、釣合おもり自体の重量が増大している場合には、釣合おもりを簡単に引き上げさせることができず、乗員の救出作業、制御盤の復旧作業に時間がかかってしまうという問題があった。
【０００９】
本発明は上記の事情に鑑み、何らかの理由により、乗りかごが昇降路内で突き上げられて停止し、乗りかご内に乗客が閉じこめられたとき、釣合おもりが重い場合であっても、短い時間で、乗員を救出させたり、制御盤の復旧作業を開始させることができるエレベータシステムを提供することを目的としている。
【００１０】
【課題を解決するための手段】
上記の目的を達成するために本発明は、請求項１では、請求項１では、昇降路内に昇降自在に配置された乗りかごと、この乗りかごの重量に対応する重量の釣合おもりと連結しているロープを走行させて、前記乗りかごをつるべ式に昇降させるエレベータシステムにおいて、カウンターウエイト引上げ機構によって、前記釣合おもりを構成している複数のカウンターウエイトの一部を吊り上げさせ、前記乗りかごを下降させる。これにより、何らかの理由によって、乗りかごが昇降路内で突き上げられて停止し、乗りかご内に乗客が閉じこめられたとき、釣合おもりが重い場合であっても、短い時間で、乗員を救出させたり、制御盤の復旧作業を開始させることができる。
【００１１】
また、請求項２では、請求項１に記載のエレベータシステムにおいて、前記釣合おもりとして、前記昇降路に沿って昇降するカウンターケースと、このカウンターケースの上部側に隙間を形成するように、前記カウンターケース内に昇降自在に差し込まれる複数のカウンターウエイトとを使用させる。これにより、何らかの理由によって、乗りかごが昇降路内で突き上げられて停止し、乗りかご内に乗客が閉じこめられたとき、釣合おもりが重い場合であっても、数個分のカウンターウエイトを引き上げるだけの小さな力で、乗員を救出させたり、制御盤の復旧作業を開始させることができる。
【００１２】
また、請求項３では、請求項１、２のいずれかに記載のエレベータシステムにおいて、前記カウンターウエイト引上げ機構として、前記昇降路の所定部分に取り付けられるカウンターウエイト用滑車と、前記カウンターウエイトに取り付けられるカウンターウエイトフックと、前記昇降路内で、前記カウンターウエイト用滑車より下に固定されるチェーンブロックと、前記カウンターウエイト用滑車を介して、前記チェーンブロックと前記カウンターウエイトフックとを連結するカウンターウエイト引き上げ用ロープとを使用させる。これにより、何らかの理由によって、乗りかごが昇降路内で突き上げられて停止し、乗りかご内に乗客が閉じこめられたとき、釣合おもりが重い場合であっても、一般的な器具だけで、乗員を救出させたり、制御盤の復旧作業を開始させることができる。
【００１３】
【発明の実施の形態】
図１は本発明によるエレベータシステムの一実施形態を示す斜視図である。
【００１４】
この図に示すエレベータシステム１は、乗りかご２を昇降させて、各階に停止させ、ホール三方枠３を介して、乗員を乗り降りさせるエレベータ機構４と、何らかの理由、例えば機械的な故障、あるいは電気的な故障が発生して、乗りかご２が昇降路５の上部で停止しているとき、エレベータ機構４に設けられている釣合おもり６の一部を吊り上げて、乗りかご２を最寄り階に移動させるカウンターウエイト引上げ機構７と、各階の各ホール三方枠３に設けられた操作パネル、乗りかご２内に設けられた操作パネルなどから出力される各呼び情報に応じて、乗りかご２の運転を制御する制御盤８とを備えており、各階に設けられた操作パネル、乗りかご２内に設けられた操作パネルなどから出力される各呼び情報に応じて、乗りかご２を昇降、停止させて、乗員を目的階に移動させる。また、何らかの理由により、乗りかご２が昇降路の上部で停止し、乗りかご２内に乗客が閉じこめらているとき、あるいは制御盤８の修復が必要になったとき、エレベータ機構４に設けられている釣合おもり６の一部を吊り上げて、乗りかご２を最寄り階に移動させる。
【００１５】
エレベータ機構４は、昇降路５に沿って昇降自在に配置される乗りかご２と、昇降路５に沿って配置される１対の釣合おもりガイドレール９と、これら釣合おもりガイドレール９に昇降自在に取り付けられる釣合おもり６と、一端側が昇降路５上部のロープヒッチ（かご側のロープヒッチ）１０に固定され、他端が釣合おもりガイドレール９上部のロープヒッチ（釣合おもり側のロープヒッチ）１１に固定され、乗りかご２の下部に固定された各かご下シーブ１２、釣合おもり６の上部に固定された釣合おもりシーブ１３などを介して、乗りかご２と釣合おもり６とを連結させるロープ１４と、昇降路５の上部側に固定され、制御盤８からの指示に基づき、ロープ１４を走行させて、乗りかご２を昇降させる巻上機１５と、この巻上機１５に取り付けられ、乗りかご２が目的階に近づいたとき、ロープ１４にブレーキを掛けて、乗りかご２を目的階に停止させる巻上機ブレーキ１６とを備えており、制御盤８からの指示に基づき、巻上機１５、巻上機ブレーキ１６などを動作させて、乗りかご２を目的階まで昇降させて、停止させ、乗員を乗り降りさせる。
【００１６】
また、カウンターウエイト引上げ機構７は、各釣合おもりガイドレール９の下部に各々、固定される１対のカウンターウエイト引上げ用吊元治具１７と、各釣合おもりガイドレール９の中央部分に各々、固定される１対のカウンターウエイト引上げ用滑車１９と、図２の模式図に示す如く釣合おもり６を構成しているカウンターケース２０の上部側に隙間２１ができるように、カウンターケース２０に差し込まれている各カウンターウエイト２２のうち、予め指定されたカウンターウエイト２２、例えば上から４番目のカウンターウエイト２２に取り付けられる１対のカウンターウエイトフック２３と、乗りかご２が昇降路の上部で停止し、乗りかご２内に乗客が閉じこめらているとき、あるいは制御盤８の修復が必要になったときなどに、下端側が各カウンターウエイト引上げ用吊元治具１７に固定される１対のチェーンブロック１８と、各カウンターウエイト引上げ用滑車１９、図３の部分拡大側面図に示す如くカウンターケース２０に形成された各引上げガイド溝２４を各々、介して、各一端が各カウンターウエイトフック２３に固定され、各他端側が各チェーンブロック１８に固定される１対のカウンターウエイト引上げ用ロープ２５とを備えている。
【００１７】
そして、何らかの理由により、乗りかご２が昇降路５の上部で停止し、乗りかご２内の乗客が閉じこめられたとき、１対のチェーンブロック１８が昇降路５内に持ち込まれて、これら各チェーンブロック１８の上端側がカウンターウエイト引上げ用ロープ２５の各一端に接続された後、各チェーンブロック１８下端側が各カウンターウエイト引上げ用吊元治具１７に固定されるとともに、各チェーンブロック１８によって、カウンターウエイト引上げ用ロープ２５の各他端を引き下げさせて、最も上にあるカウンターウエイト２２がカウンターケース２０の上端に突き当たるまで、各カウンターウエイトフック２３が固定されているカウンターウエイト２２から上にある各カウンターウエイト２２を吊り上げさせ、釣合おもり６全体の重量を低減させる。
【００１８】
これにより、乗りかご２内の乗客が定員数の半分以下の場合でも、釣合おもり６側の重量より、乗りかご２側の重量を大きくさせ、ホール三方枠３に取り付けられた補助操作盤２６が操作されて、巻上機１５の巻上機ブレーキ１６が開放させられたとき、カウンターウエイトフック２３が固定されたカウンターウエイト２２が真下のカウンターウエイト２２に突き当たるまで、釣合おもり６が上昇して、乗りかご２が下降する。
【００１９】
以下、上述した動作が繰り返されて、乗りかご２が、最寄り階まで、下降させられ、乗員が降ろされる。
【００２０】
また、制御盤８などに電気的な故障が発生して、乗りかごが動かなくなったときにも、各チェーンブロック１８によって、カウンターウエイト引上げ用ロープ２５の各他端が引き下げられて、最も上にあるカウンターウエイト２２がカウンターケース２０の上端に突き当たるまで、各カウンターウエイトフック２３が固定されているカウンターウエイト２２から上にある各カウンターウエイト２２が吊り上げられ、釣合おもり６全体の重量が低減させられる。
【００２１】
これにより、乗りかご２内に乗客がいない場合でも、釣合おもり６側の重量より、乗りかご２側の重量が大きくさせ、ホール三方枠３に取り付けられた補助操作盤２６が操作されて、巻上機１５の巻上機ブレーキ１６が開放させられたとき、カウンターウエイトフック２３が固定されたカウンターウエイト２２が真下のカウンターウエイト２２に突き当たるまで、釣合おもり６が上昇して、乗りかご２が下降する。
【００２２】
以下、上述した動作が繰り返されて、乗りかご２の天井部分が制御盤８に対応する高さになったとき、乗りかご２上に点検員が乗り込んで、制御盤８の点検作業、復旧作業などを開始する。
【００２３】
このように、この実施形態では、乗りかご２が昇降路の上部で停止し、乗りかご２内に乗客が閉じこめらているとき、あるいは制御盤８の修復が必要になったとき、エレベータ機構４に設けられている釣合おもり６の一部を吊り上げて釣合おもり６全体の重量を低減させて、乗りかご２を最寄り階に移動させるようにしているので、何らかの理由により、乗りかご２が昇降路５内で突き上げられて停止し、乗りかご２内に乗客が閉じこめられたとき、釣合おもり６が重い場合であっても、短い時間で、乗員を救出させたり、制御盤８の復旧作業を開始させることができる。
【００２４】
また、この実施形態では、乗りかご２が昇降路の上部で停止し、乗りかご２内に乗客が閉じこめらているとき、あるいは制御盤８の修復が必要になったとき、カウンターウエイト引上げ機構７によって、釣合おもり６の最も上にあるカウンターウエイト２２がカウンターケース２０の上端に突き当たるまで、各カウンターウエイトフック２３が固定されたカウンターウエイト２２から上にある各カウンターウエイト２２を吊り上げて、釣合おもり６全体の重量を低減させるようしているので、釣合おもり６が重い場合であっても、数個分のカウンターウエイト２２を引き上げるだけの小さな力で、乗員を救出させたり、制御盤８の復旧作業を開始させることができる。
【００２５】
また、この実施形態では、１対のカウンターウエイト引上げ用吊元治具１７と、１対のカウンターウエイト引上げ用滑車１９と、１対のカウンターウエイトフック２３と、１対のチェーンブロック１８と、１対のカウンターウエイト引上げ用ロープ２５という、一般的な器具を使用させて、カウンターウエイト引上げ機構７を構成させるようにしているので、何らかの理由により、乗りかご２が昇降路５内で突き上げられて停止し、乗りかご２内に乗客が閉じこめられたとき、一般的な器具だけで、乗員を救出させたり、制御盤８の復旧作業を開始させることができる。
【００２６】
【発明の効果】
以上説明したように本発明によれば、請求項１のエレベータシステムでは、何らかの理由により、乗りかごが昇降路内で突き上げられて停止し、乗りかご内に乗客が閉じこめられたとき、釣合おもりが重い場合であっても、短い時間で、乗員を救出させたり、制御盤の復旧作業を開始させることができる。
【００２７】
また、請求項２のエレベータシステムでは、何らかの理由により、乗りかごが昇降路内で突き上げられて停止し、乗りかご内に乗客が閉じこめられたとき、釣合おもりが重い場合であっても、数個分のカウンターウエイトを引き上げるだけの小さな力で、乗員を救出させたり、制御盤の復旧作業を開始させることができる。
【００２８】
また、請求項３のエレベータシステムでは、何らかの理由により、乗りかごが昇降路内で突き上げられて停止し、乗りかご内に乗客が閉じこめられたとき、釣合おもりが重い場合であっても、一般的な器具だけで、乗員を救出させたり、制御盤の復旧作業を開始させることができる。
【図面の簡単な説明】
【図１】本発明によるエレベータシステムの一実施形態を示す斜視図である。
【図２】図１に示すエレベータシステムを構成するカウンターウエイト引上げ機構の動作例を示す模式図である。
【図３】図１に示すエレベータシステムを構成するカウンターウエイト引上げ機構の部分拡大側面図である。
【符号の説明】
１：エレベータシステム
２：乗りかご
３：ホール三方枠
４：エレベータ機構
５：昇降路
６：釣合おもり
７：カウンターウエイト引上げ機構
８：制御盤
９：釣合おもりガイドレール
１０：ロープヒッチ
１１：ロープヒッチ
１２：かご下シーブ
１３：釣合おもりシーブ
１４：ロープ
１５：巻上機
１６：巻上機ブレーキ
１７：カウンターウエイト引上げ用吊元治具
１９：カウンターウエイト引上げ用滑車
２０：カウンターケース
２１：隙間
２２：カウンターウエイト
２３：カウンターウエイトフック
２４：引上げガイド溝
２５：カウンターウエイト引上げ用ロープ
【図１】
2004262645.tif 000003
【図２】
2004262645.tif 000004
【図３】
2004262645.tif 000005